(57)【要約】      （修正有）【課題】携帯電子機器の保持を容易にするため、その筺体背面に接着する指止め用の象形体を提供する。【解決手段】携帯電子機器１の背面の一側端より指３節程の長さの位置に指を定位係止し得る為の指止め象形体２を接着する。その表面は摩擦係数の高いゴム質又は合成樹脂質とし、指を係止し得る厚さを持ち、左右上下方向に指が滑脱する事の無い曲折辺を有する形状に型抜きされた象形体とする。その位置にて指を掛けて筐体を保持する時は自然体の狭い幅で保持が可能で安全で安定した操作が可能である。【選択図】図１
0003183157.tif 000002
【実用新案登録請求の範囲】
【請求項１】
携帯電子機器の背面においてその一端より指３節程の位置にて指を定位係止し得る指止め象形体を接着してなる構成体であって、その表面は摩擦係数の高いゴム質材又はシリコン樹脂材であり、指を係止するに足る厚さと、左右及び上下方向に指が滑脱しない曲折辺を有する形状に型抜きされた象形体である。
【考案の詳細な説明】
【技術分野】
【０００１】    本考案は携帯電子機器の保持を容易にするため、その筐体背面に接着する指止め象形体に関する。
【背景技術】
【０００２】  近年携帯電子機器はより広い画面を求めて大型化する傾向にあり、その保持操作には指一杯に伸ばして筐体を保持する事を要し、その際親指の作動が限定され入力困難となり一般に手のひらに乗せて操作している現状であり不安定且つ落下の危険がある。
【考案の概要】
【考案が解決しようとする課題】
【０００３】  前述の如く手のひら一杯に大型化した携帯電子機器にあっても、その保持操作に於いて無理なく自然体の指の幅で保持操作を可能とすることを課題とする。
【課題を解決するための手段】
【０００４】  上記課題を解決する為に本考案に於いては、機器筐体を自然な状態で保持した姿勢においてその時指が当接した位置、即ち筐体の一側端より指３節程の長さの位置に指を係止し得る指止め象形体を接着する事により、その位置を定位置として指を掛けて保持操作する時は親指作動にも余裕を持って入力操作が可能となる。【０００５】  上記指の係止を有効とするためにその表面は摩擦係数の高いゴム質又はシリコン樹脂質とし、その形状には適切な厚みと左右及び上下方向に指が滑脱する事の無いように曲折辺を持った形状である事を要する。【０００６】  上記形状に於いてはデザイン性装飾性を強調して動植物やキャラクターの外形に型抜き成型された象形体であることを特徴とする。
【考案の効果】
【０００７】  広画面大型の携帯電子機器の保持操作には手指一杯に伸ばして手のひらに乗せて操作している現状に対して、筐体の全幅より狭く指３節ほどの位置で指が定位係止され自然体の姿勢にて保持操作が可能な事は親指の作動に余裕を持ち安定した安全な保持操作を可能とするものであり、常時あらゆる場所で極めて多くの人が携帯電子機器を操作している現状から見て多数のユーザーに与える便益の効果は重大と考えられる。【０００８】  更に一つの象形体を携帯電子機器の背面に接着するだけの単純な構成であり、携帯にも抵抗無くかさばらず、加工に於いても複数の部品を要せず単純な施工にて保持操作の困難を解消できる事は安価にて入手しやすく、産業流通上有利な効果を得る。【０００９】  本考案の又一つの特徴は、その形状においてユーザーの趣向性に合うキャラクターや動植物等のアクセサリーとしての形状に成型型抜きされることが可能で、そのデザイン性に於いて消費者の購買意欲を刺激するものである。
【図面の簡単な説明】
【００１０】
【図１】平面図
【図２】Ａ−Ｂにおける断面図
【図３】側面より見た実態図
【考案を実施すための形態】
【００１１】  実施の形態を図によって説明すると、その表面がゴム質又はシリコン質の摩擦係数の高い材質を持った指止め象形体２を携帯電子機器１のその背面一側端より指３節程の位置において指を係止し得る如く接着材３をもって接着し、その指止め象形体２は指を係止するにたる厚さと、左右及び上下方向に指が滑脱しない様に曲折辺を持った形状に型抜き成型されたものであることを要する。
【符号の説明】
【００１２】    １  携帯電位機器
２  指止め象形体
３  接着材
【図１】
0003183157.tif 000003
【図２】
0003183157.tif 000004
【図３】
0003183157.tif 000005
【手続補正書】
【提出日】平成25年3月4日(2013.3.4)
【手続補正１】
【補正対象書類名】明細書
【補正対象項目名】全文
【補正方法】変更
【補正の内容】
【考案の詳細な説明】
【技術分野】
【０００１】        本考案は携帯電子機器の保持を容易にするため、その筐体背面に接着する指止め象形体に関する。
【背景技術】
【０００２】      近年携帯電子機器はより広い画面を求めて大型化する傾向にあり、その保持操作には指一杯に伸ばして筐体を保持する事を要し、その際親指の作動が限定され入力困難となり一般に手のひらに乗せて操作している現状であり不安定且つ落下の危険がある。
【考案の概要】
【考案が解決しようとする課題】
【０００３】        前述の如く手のひら一杯に大型化した携帯電子機器にあっても、その保持操作に於いて無理なく自然体の指の幅で保持操作を可能とすることを課題とする。
【課題を解決するための手段】
【０００４】      上記課題を解決する為に本考案に於いては、機器筐体を自然な状態で保持した姿勢においてその時指が当接した位置、即ち筐体背面の一側端より指３節程の長さの位置に指を係止し得る指止め象形体を接着する事により、その位置を定位置として指を掛けて保持操作する時は親指作動にも余裕を持って入力操作が可能となる。【０００５】      上記指の係止を有効とするためにその表面は摩擦係数の高いゴム質又は合成樹脂質とし、その形状には適切な厚みと左右及び上下方向に指が滑脱する事の無いように曲折辺を持った形状である事を要する。【０００６】      上記形状に於いてはデザイン性装飾性を強調して動植物やキャラクターの外形に型抜き成型された象形体であることを特徴とする。。
【考案の効果】
【０００７】      広画面大型の携帯電子機器の保持操作には手指一杯に伸ばして手のひらに乗せて操作している現状に対して、筐体の全幅より狭く指３節ほどの位置で指が定位係止され自然体の姿勢にて保持操作が可能な事は親指の作動に余裕を持ち安定した安全な保持操作を可能とするものであり、常時あらゆる場所で極めて多くの人が携帯電子機器を操作している現状から見て多数のユーザーに与える便益の効果は重大と考えられる。【０００８】      更に一つの象形体を携帯電子機器の背面に接着するだけの単純な構成であり、携帯にも抵抗無くかさばらず、加工に於いても複数の部品を要せず単純な施工にて保持操作の困難を解消できる事は安価にて入手しやすく、産業流通上有利な効果を得る。【０００９】      本考案の又一つの特徴は、その形状においてユーザーの趣向性に合うキャラクターや動植物等のアクセサリーとしての形状に成型型抜きされることが可能で、そのデザイン性に於いて消費者の購買意欲を刺激するものである。
【図面の簡単な説明】
【００１０】
【図１】平面図
【図２】Ａ−Ｂにおける断面図
【図３】側面より見た実態図
【考案を実施すための形態】
【００１１】      実施の形態を図によって説明すると、その表面がゴム質又は合成樹脂質の摩擦係数の高い材質を持った指止め象形体２を携帯電子機器１のその背面一側端より指３節程の位置において指を係止し得る如く接着材又は粘着によって接着し、その指止め象形体２は指を係止するにたる厚さと、左右及び上下方向に指が滑脱しない様に曲折辺を持った形状に型抜き成型されたものであることを要する。
【符号の説明】
【００１２】    １  携帯電子機器
２  指止め象形体
３  接着面
【手続補正２】
【補正対象書類名】実用新案登録請求の範囲
【補正対象項目名】全文
【補正方法】変更
【補正の内容】
【実用新案登録請求の範囲】
【請求項１】
携帯電子機器の背面においてその一端より指３節程の位置にて指を定位係止し得る指止め象形体を接着してなる構成体であって、その表面は摩擦係数の高いゴム質材又は合成樹脂材であり、指を係止するに足る厚さと、左右及び上下方向に指が滑脱しない曲折辺を有する形状に型抜きされた象形体である。